(57)【要約】【課題】会議システムにおけるＰＩＮコードを自動で作成し認証時における操作を簡略化することができる通信装置を提供する。【解決手段】データの送受信を行う通信装置において、少なくとも一種類以上のユーザデータを近距離通信によって相手機器から取得するユーザデータ取得手段と、当該通信装置にインストールされた特定の会議システムが所有するアルゴリズムと前記ユーザデータ取得手段で取得したユーザデータとに基づいて識別情報を生成する識別情報生成手段とを有することを特徴とする。【選択図】    図４
2004178409.tif 000002
【特許請求の範囲】
【請求項１】
少なくとも一種類以上のユーザデータを格納する格納手段と、
前記ユーザデータを相手機器へ送信するユーザデータ送信手段と、
当該通信装置にインストールされた特定のシステムが所有するアルゴリズムと前記格納手段により格納されたユーザデータとに基づいて識別情報を生成する識別情報生成手段とを有することを特徴とする通信装置。
【発明の詳細な説明】
【０００１】
【発明の属する技術分野】
本発明は、システム内の装置間で認証を行う際の技術に関する。
【０００２】
【従来の技術】
近年、ＩｒＤＡ（Ｉｎｆｒａｒｅｄ  Ｄａｔａ  Ａｓｓｏｃｉａｔｉｏｎ）やブルーツゥース（Ｂｌｕｅｔｏｏｔｈ）、ホームＲＦ（ＨｏｍｅＲＦ）等のパーソナルエリアでの無線通信システムが注目されている。特に、ブルーツゥースやホームＲＦはＩｒＤＡのような赤外線通信方式と比較して、指向性がない、透過性が高いなどの長所を有しており、今後の発展が期待されている。
【０００３】
ブルーツゥースは、アドホックなマルチポイント接続を行うことで最大接続数が８機器、通信範囲が１０ｍのピコネットを構築し通信を行うことができ、通信速度に関しては非同期通信において下り７２１Ｋｂｐｓ、上り５７．６Ｋｂｐｓの通信が行える。さらには、音声通信もサポートし１つのチャネルで音声とデータを転送することができるなど多種多様な特徴を有しており、様々なプラットフォームでの利用が期待されている。
【０００４】
そのプラットフォームの一つとして、無線通信による会議システムが考えられている。従来、会議でネットワークを利用する場合に配線が煩雑になるなどの問題が指摘されていたが、ブルーツゥースなどの無線通信を用いることで、それらの問題解決を目指している。
【０００５】
一般的に無線通信を用いた会議システムでは、会議参加時に主催者側（ホスト）と参加者側（クライアント）で認証手続きを行う必要がある。ブルーツゥースにおけるユーザ認証は、機器に設定するユニークな認証パスワードと、この認証パスワード及び機器固有のＩＤ（ＩＥＥＥが管理、発番する４８ビットのアドレス）等により作成される暗号鍵との２つにより管理されている。上記認証パスワードはＰＩＮ（Ｐｅｒｓｏｎａｌ  Ｉｄｅｎｔｉｆｉｃａｔｉｏｎ  Ｎｕｍｂｅｒ）コードと呼ばれ、任意の文字列で構成される。上記暗号鍵はリンクキーと呼ばれ、ユーザ認証の他にデータの暗号化などにも用いられる。
【０００６】
主催者側と参加者側が初めて接続される状況においては、参加者側は主催者側が所有するＰＩＮコードと同じＰＩＮコードを入力する必要がある。参加者側から入力されたＰＩＮコードが正しいと判定された場合には、主催者側は認証可としてリンクを開設して接続を許可する。この時、主催者側は、自身のＰＩＮコード、及び参加者側のユーザデータに乱数を掛け合わせるなどして参加者側のリンクキーを作成し、これを参加者側のユーザデータと共にリンクキーテーブルに保存しておく。なお、リンクキーを作成する場合には、接続相手のＰＩＮコードや自身のユーザデータも用いる。
【０００７】
一方、参加者側が以前に主催者側に接続されたことがあれば、既に、参加者側のリンクキーが上記リンクテーブルに登録されているので、ＰＩＮコードの入力を省いて、上記リンクキーによる認証を行う。図１０にリンクキーを作成する処理手順を示す。図１０に示すように参加者側と主催者側で等価なシステム（Ａｌｇ）を所持していれば、乱数とＰＩＮコードＡを共有することで等価なリンクキーが作成できる。
【０００８】
また、システム内の装置間で認証を行う際の技術関しては、例えば次のようなものが提案されている（例えば、特許文献１参照）。これは、第１のパソコンと第２のパソコンにおいて、第１のＵＳＢポートと第２のＵＳＢポートとがＵＳＢにより接続されていることを第１及び第２のパソコンそれぞれのＣＰＵが検出した場合、第１と第２のパソコンとによる無線通信を行うための互いの機器の認証に必要な認証情報を、前記第１と第２のＵＳＢポートとを介して自動的に送受信し、認証処理を行うものである。
【０００９】
【特許文献１】
特開２００１−１７７５９９号公報
【００１０】
【発明が解決しようとする課題】
しかしながら、上述した従来の会議システムにおける認証方法では、ＰＩＮコードを入力する際に携帯端末等の入力部からＰＩＮコードを入力する必要がある。そのため、会議開始時に各参加者側がそれぞれの端末にＰＩＮコードを入力する作業が発生する。また、認証に必要とするＰＩＮコードや乱数を予め参加者側と主催者側で共有しておく必要がある。この場合、電子メールや口頭でお互いに通知する作業も発生する。
【００１１】
主催者側が同じ部署の人間である場合や定例会のような常に参加者が同じである場合は、ＰＩＮコードを統一しておき、お互いに通知する手間を省くようなことはできる。しかし、そのＰＩＮコードが外部に漏れ第三者からの不正な侵入を招く恐れもあるし、参加者が常に変化するような会議ではＰＩＮコードを統一しておくこともできない。
【００１２】
また、上記特許文献１の技術では、情報交換時にＵＳＢ接続を行う必要があるため面倒が発生する。これでは、認証時における操作を簡略化することができないだけでなく、有線を用いたのでは無線の優位性が活かせない、といった問題がある。
【００１３】
本発明は上記従来の問題点に鑑み、会議システム等における識別情報を自動で作成し認証時における操作を簡略化することができるようにすることを目的とする。
【００１４】
【課題を解決するための手段】
上記目的を達成するために、本発明の通信装置は、少なくとも一種類以上のユーザデータを格納する格納手段と、前記ユーザデータを相手機器へ送信するユーザデータ送信手段と、当該通信装置にインストールされた特定のシステムが所有するアルゴリズムと前記格納手段により格納されたユーザデータとに基づいて識別情報を生成する識別情報生成手段とを有することを特徴とする。
【００１５】
【発明の実施の形態】
以下、本発明の実施の形態を図面に基づいて説明する。
【００１６】
＜システムの構成＞
図１は、本発明の実施の一形態に係る通信装置を用いた会議システムの構成図である。
【００１７】
このシステム形態は、アクセスポイント２０３とホストＰＣ２０２を含みクライアント携帯端末（無線通信装置）２０６が参加して構築される会議システム２０１と、アクセスポイント２０３からＲＳ２３２Ｃケーブル２０４でシリアル接続されたパソコン２０５とを備えている。クライアント携帯端末２０６は、無線通信機能を搭載したＰＤＡやノートＰＣ等で構成されている。
【００１８】
なお、上記会議システム２０１は、ホストＰＣ２０２とアクセスポイント２０３が一体化した形態であってもよい。また、クライアント携帯端末２０６は、無線接続のみでなく当然有線での接続も考慮した会議システムを構築することも可能である。
【００１９】
＜クライアント携帯端末の構成＞
上記クライアント携帯端末２０６は、例えば図２に示したように構成されている。すなわち、各クライアント携帯端末２０６は、ブルーツゥース無線部３１０と、クライアント携帯端末本体３１６とから成る。ブルーツゥース無線部３１０は、通信用アンテナ３１５を備えたブルーツゥース通信用無線回路３１４と、ＣＰＵ３１３と、リンクベースバンドコントローラ（ＬＢＣ）３１２と、外部インターフェイス３１１とを備えている。
【００２０】
無線回路３１４は、ディジタル変調やスペクトル拡散、信号レベルの増幅などを行う。ＣＰＵ３１３とＬＢＣ３１２は、無線リンクを構成する処理や信号の符号  複合化処理などを行うリンクマネージャとしての機能を有し、また外部インターフェイス３１１は、ホストコマンドインターフェイス（ＨＣＩ）としての機能を備える。
【００２１】
一方、端末本体３１６は、送受信データを一時的に蓄えておく送受信バッファ３０１と、機能全体の制御を行うＣＰＵ３０４と、ＣＰＵ３０４が処理を行う際の作業領域であるＲＡＭ３０２と、ＣＰＵ３０４で実行されるプログラムや通信先のアドレス等の各種データを記憶するＰＲＯＭ３０３と、マルチメディア情報を音声データと画像データに識別する音声  映像識別部３０５と、表示用のＬＣＤを制御するＬＣＤ制御部３０６とを備えるほか、マイクロフォンやスピーカ、キーボタン等で構成される操作部３０８と、ＬＣＤ制御部３０６で制御された画像を表示する表示部３０９とを含む入出力部３０７を備えている。
【００２２】
＜アクセスポイントの構成＞
上記アクセスポイント２０３は、例えば図３に示したように構成される。すなわち、アクセスポイント２０３はブルーツゥース無線部４１９とアクセスポイント本体４２０から成り、上記クライアント携帯端末２０６と同様にブルーツゥース無線部４１９は、通信用アンテナ４１８を備えたブルーツゥース通信用無線回路４１７と、ＣＰＵ４１６と、リンクベースバンドコントローラ（ＬＢＣ）４１５と、外部インターフェイス４１４とを備えている。
【００２３】
無線回路４１７は、ディジタル変調やスペクトル拡散、信号レベルの増幅などを行う。ＣＰＵ４１６とＬＢＣ４１５は、無線リンクを構成する処理や信号の符号  複合化処理などを行うリンクマネージャとしての機能を持つ。また、外部インターフェイス４１４はホストコマンドインターフェイス（ＨＣＩ）としての機能を備える。
【００２４】
一方、アクセスポイント本体４２０は、アクセスポイント２０３全体の動作を制御するＣＰＵ４０１を備えている。このＣＰＵ４０１には、スイッチ４０７、ＰＣカードインターフェイスとしてのコネクタ４０９、ＲＯＭ４０５、ＲＡＭ４０４、及びＲＴＣ（Ｒｅａｌ  Ｔｉｍｅ  Ｃｌｏｃｋ）回路４０８などが接続されている。また、ＡＣアダプタ４０３から供給される電源は、電源４０２を通してＣＰＵ４０１に供給され、ＲＴＣ回路４０８にはＬＥＤ４１３が接続されている。
【００２５】
また、アクセスポイント２０３は、モジュラジャック４１０を有し、これを介して公衆回線４１１に接続されるモデム部４０６及びＲＳ２３２Ｃコネクタ４１２を備えている。このモデム部４０６とコネクタ４１２はＣＰＵ４０１が制御を行っている。さらに、ＲＯＭ４０５は、通信プロトコル、ＰＩＮコード及びリンクキー等を格納し、不揮発性メモリとしての機能も有しており、ＲＡＭ４０４は、アクセスポイント２０３の動作プログラム及びデバイスドライバ等を格納している。ＲＴＣ回路４０８は、現在の時刻を計時するための回路である。
【００２６】
モデム部４０６は、モジュラジャック４１０を介して公衆回線４１１から入力されたアナログデータをディジタルデータに変換しＣＰＵ４０１へ転送する。ＲＳ２３２Ｃコネクタ４１２は、ＲＳ２３２Ｃケーブル２０４を介してパソコン２０５等の外部機器とアクセスポイント２０３をシリアル接続するために設けられている。
【００２７】
＜ＰＩＮコードの作成処理＞
図４は、本実施形態の特徴を成すＰＩＮコード作成処理の手順を示す概念図である。
【００２８】
会議のクライアント（参加者）は、ブルーツゥースデバイスネーム情報（ＢＴデバイスネーム情報）１０１に、各クライアント携帯端末２０６ごとに割り当てられたアドレス（ブルーツゥースデバイスアドレス）や氏名、所属、会議開催日、内線番号、社内の人名コード等のユーザデータを格納しておく。ＢＴデバイスネーム情報１０１を格納するパケットペイロードのパケットフォーマットを図５に示す。
【００２９】
一般的にＢＴデバイスネーム情報には、携帯端末の名称を指定しておくことができるが、この領域は２４８バイトまで自由に使用することができるため、上記の内容を格納しておくことができる。また、氏名や内線番号、人名コードなど個人データ（ユーザデータ）に関する情報は、会議システムのアルゴリズム１０２を端末機器にインストールする際に入力しておき、そのデータを用いる。クライアント携帯端末２０６の使用者が変わった場合は、ＢＴデバイスネーム情報１０１を手動で変更することも可能である。そのＢＴデバイスネーム情報１０１のデータに会議システム独自のアルゴリズム１０２を用いてＰＩＮコードを作成する。
【００３０】
一方、会議の主催者（ホスト）は、デバイス名称を取得するときに使用するＬＭＰ・ｎａｍｅ・ｒｅｑコマンド１０３を用いて、会議の参加者（クライアント）のＢＴデバイスネーム情報１０１を取得する。それに対して、参加者側は、ＬＭＰ・ｎａｍｅ・ｒｓｐコマンド１０４を送信し、クライアント携帯端末２０６のＢＴデバイスネーム情報１０１のデータを主催者側へ送信する。主催者側は、参加者側と同様に会議システムのアルゴリズム１０２を用いてＰＩＮコードを作成する。
【００３１】
これにより、会議の参加者は、ユーザデータを用いて特定の会議システムのアルゴリズムにより自動でＰＩＮコードを作成することができ、また、主催者も参加者が作成したＰＩＮコードと等価のＰＩＮコードを作成することができる。
【００３２】
＜ブルーツゥース接続シーケンス＞
図６は、図４に示したＰＩＮコード作成処理を含んだブルーツゥース接続シーケンス図である。
【００３３】
まず、主催者が、エリア内に通信可能な相手を探すために問い合わせ要求（インクワイアリ）を行う（ステップＳ７０１）。次に呼び出し（ページング）と呼ばれる同期処理を行い（ステップＳ７０２）、ＬＭＰ・ｎａｍｅ・ｒｅｑコマンド１０３を参加者へ送信する（ステップＳ７０３）。参加者は、それに対してＬＭＰ・ｎａｍｅ・ｒｓｐコマンド１０４を送信する（ステップＳ７０４）。この時、参加者はＬＭＰ・ｎａｍｅ・ｒｓｐコマンド１０４の送信に対してボタンを押すなどの操作を行う必要はない。
【００３４】
次に参加者側でリンクキーの要求が行われ（ステップＳ７０５）、参加者、主催者共にＰＩＮコードの入力を行う（ステップＳ７０６）。本実施形態では、ＰＩＮコードは自動で作成されているため、この時も参加者並びに主催者共に入力操作を行う必要はない。
【００３５】
次にＰＩＮコードにより作成したリンクキーを用いて認証処理が行われ（ステップＳ７０７）、さらに暗号化を行い（ステップＳ７０８）、接続完了通知を互いに受信して終了となる（ステップＳ７０９）。
【００３６】
＜会議システムのアプリケーションのインストール＞
図７は、会議システムのアルゴリズムが記述されたアプリケーションをインストールする際の手順を示すフローチャートである。
【００３７】
会議システムのアプリケーションのインストールを開始し（ステップＳ８０１）、インストール先を指定する（ステップＳ８０２）。次に各種モードを指定する（ステップＳ８０３）。このモードは、クライアント機能を搭載するかホスト機能を搭載するか、フルインストールかカスタムインストールか、あるいは自動モードか手動モードかなどの各種モードを設定する。
【００３８】
次にユーザデータを入力する（ステップＳ８０４）。このデータには、氏名、所属、内線番号、人名コード、並びに本人のみが知るパスワードなどを入力する。以上のデータを入力した後にインストールが終了する（ステップＳ８０５）。
【００３９】
ここで、自動モードの場合は、図４で説明した作成処理手順によりＰＩＮコードを自動で生成するが、手動モードの場合は、入力部３０７よりＰＩＮコードを手動で入力する。また、この自動／手動モードについては、インストール時のみでなく、インストール後にアプリケーションを立ち上げた時にも設定画面上で設定を変更することが可能である。さらには、設定を変更した後には、設定変更の趣旨を表すコマンドを相手機器に送信し、互いにモードを統一する処理が行われる。
【００４０】
＜参加者側の処理＞
図８は、会議の参加者側の処理を示すフローチャートである。
【００４１】
まず会議の参加者は会議室に入室したら（ステップＳ９０１）、クライアント携帯端末２０６のＰＲＯＭ３０３に格納されている会議システムアプリケーションを起動する（ステップＳ９０２）。起動後に、インストール時に入力したユーザデータが表示部３０９に表示されるので、確認を行う（ステップＳ９０３）。この時、自動モードに設定されている場合は、ある程度時間が経過したら自動的にＯＫと判断し手動モードに設定されている場合は、操作部３０８よりボタンを押して確認する。
【００４２】
次にユーザデータと会議開催日等をＢＴデバイスネーム情報１０１に書き込む（ステップＳ９０４）。この処理に対して参加者がボタンを押すなどの処理は必要としない。
【００４３】
そして、図４のＰＩＮコード作成処理で説明したようにＰＩＮコードを生成する（ステップＳ９０５）。生成したＰＩＮコードを用いてリンクキーを作成し（ステップＳ９０６）、ＲＡＭ３０２にリンクキーを保存する（ステップＳ９０７）。また同時に、主催者側からブルーツゥース無線部３１０を介してＬＭＰ・ｎａｍｅ・ｒｅｑコマンド１０３を受信し（ステップＳ９０８）、ステップＳ９０４で書き込んだデバイスネーム情報をホスト側へ送信する（ステップＳ９０９）。以後は認証、暗号化を行い（ステップＳ９１０）、接続完了通知を受信して接続完了となり（ステップＳ９１１）、会議の開始を待つスタンバイ状態となる（ステップＳ９１２）。
【００４４】
＜主催者側の処理＞
図９は、会議の主催者側の処理を示すフローチャートである。
【００４５】
まず主催者側は、会議室のホストＰＣ２０２のＲＯＭ４０５に格納されている会議システムのアプリケーションを起動し（ステップＳ１００１）、続いて周りにある通信可能な端末を探すために問い合わせ要求を行う（ステップＳ１００２）。
【００４６】
そして、ページングを行った後に、相手のクライアント携帯端末２０６のＢＴデバイスネーム情報を取得するために、ＬＭＰ・ｎａｍｅ・ｒｅｑコマンド１０３を、ブルーツゥース無線部４１９を介して参加者へ送信する（ステップＳ１００３）。さらに、相手のクライアント携帯端末２０６からＬＭＰ・ｎａｍｅ・ｒｓｐコマンド１０４を受信し（ステップＳ１００４）、ＰＩＮコードを作成する（ステップＳ１００５）。この時も、参加者同様にボタンを押すなどの操作は必要としない。
【００４７】
次にリンクキーを生成し（ステップＳ１００６）、そのデータをＲＯＭ４０５に格納する（ステップＳ１００７）。以後は認証、暗号化を行い（ステップＳ１００８）、相手のクライアント携帯端末２０６に対して接続完了通知を送信し（ステップＳ１００９）。会議の開始を待つスタンバイ状態となる（ステップＳ１０１０）。
【００４８】
本実施形態によれば、ＬＭＰ・ｎａｍｅ・ｒｅｑコマンド１０３とＬＭＰ・ｎａｍｅ・ｒｓｐコマンド１０４のやり取りによりＰＩＮコードを自動で作成してリンクキーを作成することができることから、認証時における操作を簡略化することができる効果がある。
【００４９】
また、ＬＭＰ・ｎａｍｅ・ｒｅｑコマンド１０３やＬＭＰ・ｎａｍｅ・ｒｓｐコマンド１０４はブルーツゥースの接続シーケンスにおける処理であるため、本実施形態を実施するためにわざわざシーケンス処理を追加する必要もない。さらに、特定の会議システムのアルゴリズムでＰＩＮコードを生成することから、この会議システムを所持していない第三者は、ＰＩＮコードを入力しても会議システムのアルゴリズムが異なることになるため認証が行えず接続することができないので、外部からの不正な侵入を防ぐこともできる。
【００５０】
なお、本発明は、上述した実施形態の装置に限定されず、複数の機器から構成されるシステムに適用しても、一つの機器から成る装置に適用してもよい。前述した実施形態の機能を実現するソフトウェアのプログラムコードを記憶した記憶媒体をシステムあるいは装置に供給し、そのシステムあるいは装置のコンピュータ（またはＣＰＵやＭＰＵ）が記憶媒体に格納されたプログラムコードを読み出し実行することによっても、完成されることは言うまでもない。
【００５１】
この場合、記憶媒体から読み出されたプログラムコード自体が前述した実施形態の機能を実現することになり、そのプログラムコードを記憶した記憶媒体は本発明を構成することになる。プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭを用いることができる。また、コンピュータが読み出したプログラムコードを実行することにより、前述した実施形態の機能が実現されるだけではなく、そのプログラムコードの指示に基づき、コンピュータ上で稼動しているＯＳなどが実際の処理の一部または全部を行い、その処理によって前述した実施形態の機能が実現される場合も含まれることは言うまでもない。
【００５２】
さらに、記憶媒体から読み出されたプログラムコードが、コンピュータに挿入された機能拡張ボードやコンピュータに接続された機能拡張ユニットに備わるメモリに書き込まれた後、次のプログラムコードの指示に基づき、その拡張機能を拡張ボードや拡張ユニットに備わるＣＰＵなどが処理を行って実際の処理の一部または全部を行い、その処理によって前述した実施形態の機能が実現される場合も含まれることは言うまでもない。
【００５３】
［実施態様］
本発明の実施態様の例を以下に列挙する。
【００５４】
＜実施態様１＞
少なくとも一種類以上のユーザデータを格納する格納手段と、前記ユーザデータを相手機器へ送信するユーザデータ送信手段と、当該通信装置にインストールされた特定のシステムが所有するアルゴリズムと前記格納手段により格納されたユーザデータとに基づいて識別情報を生成する識別情報生成手段とを有することを特徴とする通信装置。
【００５５】
＜実施態様２＞
少なくとも一種類以上のユーザデータを相手機器から取得するユーザデータ取得手段と、当該通信装置にインストールされた特定のシステムが所有するアルゴリズムと前記ユーザデータ取得手段で取得したユーザデータとに基づいて識別情報を生成する識別情報生成手段とを有することを特徴とする通信装置。
【００５６】
＜実施態様３＞
前記識別情報生成手段によって生成した識別情報を特定のパケットに格納する識別情報格納手段を有することを特徴とする実施態様２に記載の通信装置。
【００５７】
＜実施態様４＞
前記格納手段により格納されたユーザデータを用いて前記識別情報生成手段を有効にする自動モードに設定する手段と、前記識別情報生成手段を無効にして、入力部より前記識別情報を手動で入力する手動モードに設定する手段とを有することを特徴とする実施態様１または２に記載の通信装置。
【００５８】
＜実施態様５＞
前記自動モードまたは前記手動モードのいずれかにモードの設定変更を行った場合は、相手機器に対して、モードの変更が行われた旨を通知するコマンドを送信することを特徴とする実施態様４に記載の通信装置。
【００５９】
＜実施態様６＞
前記特定のシステムが所有するアルゴリズムの起動時に前記自動モードに設定されていた場合は、前記ユーザデータを表示部に表示して一定の時間の経過後に、前記格納手段により該ユーザデータを格納する手段を有することを特徴とする実施態様４または５に記載の通信装置。
【００６０】
＜実施態様７＞
前記ユーザデータは、少なくとも氏名、所属、内線番号、人名コード、会議開催日、特定のパスワード、及び当該通信装置の個別アドレスの何れか一つまたは複数を用いることを特徴とする実施態様１乃至６に記載の通信装置。
【００６１】
＜実施態様８＞
前記ユーザデータの通信は、ブルーツゥースにより行われることを特徴とする実施態様１乃至７に記載の通信装置。
【００６２】
＜実施態様９＞
少なくとも一種類以上のユーザデータを格納する格納工程と、前記ユーザデータを相手機器へ送信するユーザデータ送信工程と、当該通信装置にインストールされた特定のシステムが所有するアルゴリズムと前記格納工程により格納されたユーザデータとに基づいて識別情報を生成する識別情報生成工程とを有することを特徴とする通信装置の接続制御方法。
【００６３】
＜実施態様１０＞
少なくとも一種類以上のユーザデータを相手機器から取得するユーザデータ取得工程と、当該通信装置にインストールされた特定のシステムが所有するアルゴリズムと前記ユーザデータ取得工程で取得したユーザデータとに基づいて識別情報を生成する識別情報生成工程とを有することを特徴とする通信装置の接続制御方法。
【００６４】
＜実施態様１１＞
通信装置の接続制御方法を実行するために、コンピュータで読み取り可能な制御プログラムであって、少なくとも一種類以上のユーザデータを格納する格納ステップと、前記ユーザデータを相手機器へ送信するユーザデータ送信ステップと、当該通信装置にインストールされた特定のシステムが所有するアルゴリズムと前記格納ステップにより格納されたユーザデータとに基づいて識別情報を生成する識別情報生成ステップとを有することを特徴とする制御プログラム。
【００６５】
＜実施態様１２＞
通信装置の接続制御方法を実行するために、コンピュータで読み取り可能な制御プログラムであって、少なくとも一種類以上のユーザデータを相手機器から取得するユーザデータ取得ステップと、当該通信装置にインストールされた特定のシステムが所有するアルゴリズムと前記ユーザデータ取得ステップで取得したユーザデータとに基づいて識別情報を生成する識別情報生成ステップとを有することを特徴とする制御プログラム。
【００６６】
【発明の効果】
以上説明したように本発明によれば、例えば会議システムにおいて、会議参加者の判別に用いる識別情報を自動で作成することができるので、システムにおける認証時の操作を簡略化することが可能になる。
【図面の簡単な説明】
【図１】本発明の実施の一形態に係る無線通信装置を用いた会議システムの構成図である。
【図２】クライアント携帯端末２０６の構成を示すブロック図である。
【図３】アクセスポイント２０３の構成を示すブロック図である。
【図４】実施形態の特徴を成すＰＩＮコード作成処理の手順を示す概念図である。
【図５】ＢＴデバイスネーム情報１０１を格納するパケットペイロードのパケットフォーマットを示す図である。
【図６】図５に示したＰＩＮコード作成処理を含んだブルーツゥース接続シーケンス図である。
【図７】会議システムのアルゴリズムが記述されたアプリケーションをインストールする際の手順を示すフローチャートである。
【図８】会議の参加者側の処理を示すフローチャートである。
【図９】会議の主催者側の処理を示すフローチャートである。
【図１０】従来のリンクキーを作成する処理手順を示す概念図である。
【符号の説明】
１０１  ＢＴデバイスネーム情報
１０２  会議システムのアルゴリズム
１０３  ＬＭＰ・ｎａｍｅ・ｒｅｑコマンド
１０４  ＬＭＰ・ｎａｍｅ・ｒｓｐコマンド
２０１  会議システム
２０２  ホストＰＣ
２０３  アクセスポイント
２０４  ＲＳ２３２Ｃケーブル
２０５  パソコン
２０６  クライアント携帯端末
【図１】
2004178409.tif 000003
【図２】
2004178409.tif 000004
【図３】
2004178409.tif 000005
【図４】
2004178409.tif 000006
【図５】
2004178409.tif 000007
【図６】
2004178409.tif 000008
【図７】
2004178409.tif 000009
【図８】
2004178409.tif 000010
【図９】
2004178409.tif 000011
【図１０】
2004178409.tif 000012